(57)【要約】【課題】ズーム全域にわたり高い光学性能が容易に得られる小型のズームレンズ及びそれを有する撮像装置を提供すること。【解決手段】  物体側から像側へ順に配置された正の屈折力の第１レンズ群と、負の屈折力の第２レンズ群と、正の屈折力の第３レンズ群と、負の屈折力の第４レンズ群と、正の屈折力の第５レンズ群と、負の屈折力の第６レンズ群と、正の屈折力の第７レンズ群と、負の屈折力の第８レンズ群とからなり、ズーミングに際して隣り合うレンズ群の間隔が変化することを特徴とするズームレンズ。【選択図】図１
2020118816.tif 000002
【特許請求の範囲】
【請求項１】
物体側から像側へ順に配置された正の屈折力の第１レンズ群と、負の屈折力の第２レンズ群と、正の屈折力の第３レンズ群と、負の屈折力の第４レンズ群と、正の屈折力の第５レンズ群と、負の屈折力の第６レンズ群と、正の屈折力の第７レンズ群と、負の屈折力の第８レンズ群とからなり、ズーミングに際して隣り合うレンズ群の間隔が変化することを特徴とするズームレンズ。
【請求項２】
広角端から望遠端へのズーミングに際して前記第１レンズ群は物体側に移動することを特徴とする請求項１に記載のズームレンズ。
【請求項３】
ズーミングに際して前記第４レンズ群と前記第６レンズ群は移動することを特徴とする請求項１または２に記載のズームレンズ。
【請求項４】
広角端に比べて望遠端において、前記第１レンズ群と前記第２レンズ群の間隔が広がることを特徴とする請求項１乃至３のいずれか１項に記載のズームレンズ。
【請求項５】
広角端から望遠端へのズーミングに際して前記第２レンズ群と前記第３レンズ群の間隔が狭まることを特徴とする請求項１乃至４のいずれか１項に記載のズームレンズ。
【請求項６】
広角端から望遠端へのズーミングに際して前記第７レンズ群と前記第８レンズ群の間隔が狭まることを特徴とする請求項１乃至５のいずれか１項に記載のズームレンズ。
【請求項７】
フォーカシングに際して、前記第２レンズ群より像側に配置された２つのレンズ群が移動することを特徴とする請求項１乃至６のいずれか１項に記載のズームレンズ。
【請求項８】
フォーカシングに際し、前記第４レンズ群と前記第６レンズ群は移動することを特徴とする請求項７に記載のズームレンズ。
【請求項９】
無限遠から至近へのフォーカシングに際し、前記第４レンズ群は物体側へ移動し、前記第６レンズ群は像側へ移動することを特徴とする請求項８に記載のズームレンズ。
【請求項１０】
前記第４レンズ群および前記第６レンズ群は２枚以下のレンズより構成されることを特徴とする請求項８または９に記載のズームレンズ。
【請求項１１】
ズーミングに際し、前記第３レンズ群と前記第５レンズ群は同一の軌跡で移動することを特徴とする請求項１乃至１０のいずれか１項に記載のズームレンズ。
【請求項１２】
広角端から望遠端へのズーミングにおける前記第５レンズ群の移動量をｍ５、前記第７レンズ群の移動量をｍ７とするとき、
０．５＜ｍ５／ｍ７＜１．５
なる条件式を満たすことを特徴とする請求項１乃至１１のいずれか１項に記載のズームレンズ。
【請求項１３】
広角端におけるバックフォーカスをｂｆｗ、広角端から望遠端へのズーミングにおける前記第８レンズ群の移動量をｍ８とするとき、
１．２＜ｍ８／ｂｆｗ＜７．０
なる条件式を満たすことを特徴とする請求項１乃至１２のいずれか１項に記載のズームレンズ。
【請求項１４】
フォーカシングに際して、前記第４レンズ群と前記第６レンズ群は移動し、このうちピント敏感度の高い方をフォーカス群、ピント敏感度の低い方をフローティング群とし、無限遠にフォーカスしているときの望遠端における前記フォーカス群のピント敏感度をＥｓ１とするとき、
５＜｜Ｅｓ１｜＜１２
なる条件式を満たすことを特徴とする請求項１乃至１３のいずれか１項に記載のズームレンズ。
【請求項１５】
フォーカシングに際して、前記第４レンズ群と前記第６レンズ群は移動し、このうちピント敏感度の高い方をフォーカス群、ピント敏感度の低い方をフローティング群とし、無限遠にフォーカスしているときの望遠端における前記フォーカス群のピント敏感度をＥｓ１、望遠端における前記フローティング群のピント敏感度をＥｓ２とするとき、
０．１＜｜Ｅｓ２／Ｅｓ１｜＜０．８
なる条件式を満たすことを特徴とする請求項１乃至１４のいずれか１項に記載のズームレンズ。
【請求項１６】
無限遠から近距離へのフォーカシングに際して、前記第４レンズ群は物体側へ移動し、前記第６レンズ群は、像側へ移動することを特徴とする請求項１乃至１５のいずれか１項に記載のズームレンズ。
【請求項１７】
広角端から望遠端へのズーミングに際して、前記第３レンズ群から前記第８レンズ群は物体側へ移動することを特徴とする請求項１乃至１６のいずれか１項に記載のズームレンズ。
【請求項１８】
請求項１乃至１７のいずれか１項に記載のズームレンズと該ズームレンズによって形成された像を受光する撮像素子を有することを特徴とする撮像装置。
【請求項１９】
請求項１乃至１７のいずれか１項に記載のズームレンズと、
前記第３レンズ群、前記第４レンズ群、および前記第５レンズ群を、光軸方向に沿って同じ軌跡で移動させる第１の移動機構と、
前記第４レンズ群を、前記第３レンズ群および前記第５レンズ群とは別の軌跡で光軸方向に沿って移動させる移動させることが可能な第２の移動機構とを有することを特徴とするレンズ装置。
【請求項２０】
前記第６レンズ群を光軸方向に沿って移動させる第３の移動機構を有し、
前記第１の移動機構は、前記第６レンズ群を、前記第３レンズ群、前記第４レンズ群、および前記第５レンズ群と同じ軌跡で移動させ、
前記第３の移動機構は、前記第６レンズ群を、前記第３レンズ群、前記第４レンズ群、および前記第５レンズ群とは別の軌跡で移動させることが可能であることを特徴とする請求項１９に記載のレンズ装置。
【発明の詳細な説明】
【技術分野】
【０００１】
本発明はズームレンズ、撮像装置、レンズ装置に関する。ズームレンズは、例えばビデオカメラ、電子スチルカメラ、放送用カメラ、監視カメラ等のように撮像素子を用いた撮像装置に用いる撮像光学系に好適なものである。
【背景技術】
【０００２】
撮像光学系として、望遠端の焦点距離が長くズーム比が大きい所謂超望遠のズームレンズが知られている（特許文献１、２）。このようなズームレンズでは、高ズーム比でありながら高い光学性能を有すること、迅速なフォーカシングが容易であること、望遠端の焦点距離に対して全系が小型であること等が求められる。
【０００３】
特許文献１は、物体側から像側へ順に正負正負正負の屈折力の第１レンズ群乃至第６レンズ群からなり、２つのレンズ群をフォーカスに際して移動させるズームレンズを開示している。
【０００４】
また、特許文献２は、物体側から像側へ順に正負正負正負の屈折力の第１レンズ群乃至第６レンズ群からなり、バックフォーカスを短くすることによってレンズ全長を比較的短くしたズームレンズを開示している。
【先行技術文献】
【特許文献】
【０００５】
【特許文献１】特開平１１−８４２４１号公報
【特許文献２】特開２０１４−２２８７３４号公報
【発明の概要】
【発明が解決しようとする課題】
【０００６】
迅速なフォーカシングが得られるアクチュエータとして直動型のアクチュエータが知られているが、駆動させるためにはフォーカスレンズ群の重量が軽いことが求められる。また、ズーム比の大きいズームレンズにおいてフォーカス全域で良好な光学性能を得るためにフローティングフォーカスを採用すると、駆動力の高いアクチュエータと複雑な金属カムの構成が必要となってくる。またズーミングとフォーカシングにおいてもカムの軌跡によって移動の自由度が制限されることがある。
【０００７】
ズームレンズにおいて、全系の小型化を図りつつ、フォーカス全域にわたり高い光学性能を得るには、ズームレンズを構成する各要素を適切に設定することが重要となってくる。例えばズームタイプ（レンズ群の数や各レンズ群の屈折力、ズーミングに際しての移動条件等）、フォーカシングに際して移動するレンズ群の選定やフォーカシングに際して移動するレンズ群のレンズ構成等を適切に設定することが重要になる。
【０００８】
本発明は、ズーム全域にわたり高い光学性能を有し、小型なズームレンズ及びそれを有する撮像装置を提供することを目的とする。
【課題を解決するための手段】
【０００９】
本発明のズームレンズは、物体側から像側へ順に配置された正の屈折力の第１レンズ群と、負の屈折力の第２レンズ群と、正の屈折力の第３レンズ群と、負の屈折力の第４レンズ群と、正の屈折力の第５レンズ群と、負の屈折力の第６レンズ群と、正の屈折力の第７レンズ群と、負の屈折力の第８レンズ群とからなり、ズーミングに際して隣り合うレンズ群の間隔が変化することを特徴としている。
【発明の効果】
【００１０】
本発明によれば、全ズーム範囲にわたり高い光学性能が容易に得られるズームレンズが得られる。
【図面の簡単な説明】
【００１１】
【図１】本発明の実施例１のズームレンズのレンズ断面図
【図２】本発明の実施例１のズームレンズの収差図
【図３】本発明の実施例２のズームレンズのレンズ断面図
【図４】本発明の実施例２のズームレンズの収差図
【図５】本発明の実施例３のズームレンズのレンズ断面図
【図６】本発明の実施例３のズームレンズの収差図
【図７】本発明の実施例４のズームレンズのレンズ断面図
【図８】本発明の実施例４のズームレンズの収差図
【図９】本発明の実施例１のズームレンズを有するレンズ装置の構成を示す図
【図１０】本発明の撮像装置の要部概略図
【発明を実施するための形態】
【００１２】
以下に、本件の好ましい実施の形態を、添付の図面に基づいて説明する。
【００１３】
各実施例のズームレンズは物体から像側へ順に配置された次のレンズ群よりなる。正の屈折力の第１レンズ群と、負の屈折力の第２レンズ群と、正の屈折力の第３レンズ群と、負の屈折力の第４レンズ群と、正の屈折力の第５レンズ群と、負の屈折力の第６レンズ群と、正の屈折力の第７レンズ群と、負の屈折力の第８レンズ群とからなる。そしてズーミングに際して隣り合うレンズ群の間隔が変化する。
【００１４】
図１は本発明の実施例１のズームレンズの広角端（短焦点距離端）におけるレンズ断面図である。図２（Ａ）、（Ｂ）はそれぞれ実施例１のズームレンズの無限遠に合焦時の広角端と望遠端（長焦点距離端）における収差図である。実施例１はズーム比４．８０、開口比（Ｆナンバー）４．６０〜７．２０程度のズームレンズである。
【００１５】
図３は本発明の実施例２のズームレンズの広角端におけるレンズ断面図である。図４（Ａ）、（Ｂ）はそれぞれ実施例２のズームレンズの無限遠に合焦時の広角端と望遠端における収差図である。実施例２はズーム比４．８０、開口比４．１０〜６．４０程度のズームレンズである。
【００１６】
図５は本発明の実施例３のズームレンズの広角端におけるレンズ断面図である。図６（Ａ）、（Ｂ）はそれぞれ実施例３のズームレンズの無限遠に合焦時の広角端と望遠端における収差図である。実施例３はズーム比４．９２、開口比４．６０〜７．２０程度のズームレンズである。
【００１７】
図７は本発明の実施例４のズームレンズの広角端におけるレンズ断面図である。図８（Ａ）、（Ｂ）はそれぞれ実施例４のズームレンズの無限遠に合焦時の広角端と望遠端における収差図である。実施例４はズーム比３．９２、開口比６．００〜８．５０程度のズームレンズである。
【００１８】
図９は実施例１のズームレンズの各レンズ群の移動の説明図である。
【００１９】
図１０は本発明の撮像装置の要部概略図である。
【００２０】
各実施例のズームレンズはビデオカメラ、デジタルスチルカメラ、監視カメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、Ｌ０はズームレンズである。ｉを物体側からのレンズ群の順番とすると、Ｂｉは第ｉレンズ群を示す。
【００２１】
ＳＴ０は開放Ｆナンバー（Ｆｎｏ）の光束を決定（制限）する開口絞りである。ｉｍｇは像面であり、ビデオカメラやデジタルスチルカメラの撮像光学系として使用する際にはＣＣＤセンサやＣＭＯＳセンサ等の撮像素子（光電変換素子）の撮像面が置かれる。矢印は広角端から望遠端へのズーミングにおける各レンズ群の移動軌跡を示している。フォーカス（ｆｏｃｕｓ）に関する矢印は無限遠から近距離へのフォーカシングに際してのレンズ群の移動方向を示している。
【００２２】
実線矢印４ａ、６ａが物体距離が無限遠のときの広角端から望遠端へのズーミングに際してのレンズ群の移動を表し、破線矢印４ｂ、６ｂが物体距離が至近のときの広角端から望遠端へのズーミングに際してのレンズ群の移動を表している。
【００２３】
収差図は紙面左側からそれぞれ、球面収差、非点収差、歪曲収差図を示している。球面収差において、実線のｄはｄ線（波長５８７．５６ｎｍ）、破線のｆはｆ線（波長４８６．１３ｎｍ）、一点鎖線のＣはＣ線（波長６５６．２７ｎｍ）、二点鎖線のｇはｇ線（波長４３５．８３ｎｍ）の収差を示している。横軸のスケールはデフォーカス量であり、−０．４〜＋０．４［ｍｍ］である。
【００２４】
非点収差図において、実線のＳがｄ線のサジタル像面、点線のＭがｄ線のメリジオナル像面の像面湾曲を示している。横軸は球面収差と同じである。歪曲収差においては、横軸のスケールが−５〜＋５［％］で示されている。色収差は倍率色収差のｄ線からのずれを示しており、横軸のスケールは−０．０３〜＋０．０３［ｍｍ］である。
【００２５】
各実施例のズーレンズＬ０は前述した８つのレンズ群より構成されている。なお、本明細書において、「レンズ群」は、複数のレンズから構成されていてもよいし、１枚のレンズから構成されていてもよい。
【００２６】
ズームレンズを構成する８つのレンズ群は、物体から像側へ順に配置された、正の屈折力の第１レンズ群Ｂ１、負の屈折力の第２レンズ群Ｂ２、正の屈折力の第３レンズ群Ｂ３、負の屈折力の第４レンズ群Ｂ４、正の屈折力の第５レンズ群Ｂ５、負の屈折力の第６レンズ群Ｂ６、正の屈折力の第７レンズ群Ｂ７、負の屈折力の第８レンズ群Ｂ８からなる。これにより望遠端における焦点距離が長くズーム比の大きいズームレンズを得ることができる。
【００２７】
第１レンズ群Ｂ１を正の屈折力、第２レンズ群Ｂ２を負の屈折力としてテレフォトの光学配置をとることで、レンズ全長に対して主点を長くとり、焦点距離に比してレンズ全長の短くすることができる。
【００２８】
さらに、このような屈折力配置にすることによって、第２レンズ群より像側における、レンズの径の小型化や、構成枚数が比較的少ないレンズ群の確保が容易となる。これにより少なくとも一部のレンズ群の軽量化が容易になることによって、第２レンズ群より像側にフォーカシングに際して移動するフォーカス群を配置しやすくなる。さらに、ズーミングのための駆動機構とフォーカシングのための駆動機構を兼用できるため、実施例にかかるズームレンズを有するレンズ装置において、駆動機構の簡略化が容易となる。
【００２９】
さらに、広角端から望遠端へのズーミングに際して第１レンズ群Ｂ１は物体側に移動し、ズーミングに際して第４レンズ群Ｂ４と第６レンズ群Ｂ６は移動する。広角端に比べて望遠端において第１レンズ群Ｂ１と第２レンズ群Ｂ２の間隔が広がり、第２レンズ群Ｂ２と第３レンズ群Ｂ３の間隔が狭まり、第７レンズ群Ｂ７と第８レンズ群Ｂ８の間隔が狭まる。
【００３０】
広角端から望遠端へのズーミングに際して第１レンズ群Ｂ１と第２レンズ群Ｂ２の間隔を広げ、第２レンズ群Ｂ２と第３レンズ群Ｂ３の間隔を狭めている。これにより変倍作用を得ている。そして広角端から望遠端へのズーミングに際して、第１レンズ群Ｂ１および第３レンズ群Ｂ３乃至第７レンズ群Ｂ７が物体側に移動する。これによりコンペンセータの役割を得ると共に、広角端においてレンズ全長が最も短くなるようにしている。
【００３１】
さらに、広角端から望遠端へのズーミングに際して正の屈折力の第７レンズ群Ｂ７と負の屈折力の第８レンズ群Ｂ８の間隔を狭めることで、さらなる変倍作用を得ることができる。さらに、ズーミングに際して第８レンズ群Ｂ８を移動させることで、ズーミングに伴う倍率色収差などの収差変動を低減することができる。
【００３２】
第３レンズ群Ｂ３から第７レンズ群Ｂ７はズーミングに際して物体側に移動する。
【００３３】
さらに、ズーミングに際して、第３レンズ群Ｂ３と第５レンズ群Ｂ５が同一の軌跡で移動することが好ましい。これにより、本発明の実施例に係るズームレンズを有するレンズ装置において、ズーミングのための駆動機構の複雑化を抑制することができる。
【００３４】
第２レンズ群Ｂ２の少なくとも一部が、像ぶれ補正のために、レンズ光軸に対して直交する方向の成分を有する方向に移動する防振群であることが好ましい。さらに、第２レンズ群Ｂ２は、ズーミングに際して移動しない（不動の）ことが好ましい。これにより、防振群の位置の安定性、第２レンズ群Ｂ２を駆動するための駆動機構の配置の容易性の面で有利となる。図１および図２に示す実施例１、２では第２レンズ群Ｂ２全体を防振群としており、図３および図４に示す実施例３、４では第２レンズ群Ｂ２の一部分の部分群２ｂを防振群としている。
【００３５】
フォーカシングに際して、第２レンズ群よりも像側に配置された２つのレンズ群を移動させることが好ましい。フォーカシングに際して移動する２つのレンズ群は、第４レンズ群Ｂ４と第６レンズ群Ｂ６であり、一方を主フォーカス群、他方をフローティング群とすることがさらに好ましい。
【００３６】
さらに、第６レンズ群Ｂ６が主フォーカス群であることが好ましい。第６レンズ群Ｂ６は、広角端から望遠端への変倍に際して第５レンズ群Ｂ５と間隔を狭めるように移動して変倍を補助し、無限遠から至近へのフォーカシングに際して矢印６ｃの示すように像側に移動し合焦する機能を有する。
【００３７】
さらに、第４レンズ群Ｂ４がフローティング群であることが好ましい。広角端では像面湾曲を、望遠端では球面収差とピント移動を制御することができる。そして、ズーム全域、フォーカス範囲全域で収差変動を低減し、高い光学性能を得ている。矢印４ｃは無限遠から近距離へのフォーカシングにおける移動方向を示している。
【００３８】
ここで、第４レンズ群Ｂ４および第６レンズ群Ｂ６は２枚以下のレンズから構成されることが好ましい。これにより、フォーカシングに際して移動するレンズ群を軽量化し、迅速なフォーカシングをすることができる。また移動レンズ群を第４レンズ群Ｂ４と第６レンズ群Ｂ６のように負の屈折力とすることでレンズ径を比較的小さくして、軽重量化を図っている。
【００３９】
第３レンズ群Ｂ３から第７レンズ群Ｂ７は正、負、正、負、正の屈折力のレンズ群であり、屈折力を交互に異なるように配置しており、このような配置にすることで部分系でそれぞれ変倍を補助し、高いズーム比を得ている。
【００４０】
さらにズーム全域およびフォーカス全域で高い光学性能を有し、迅速なフォーカシングが容易な望遠型のズームレンズを得ている。
【００４１】
また、図９は、実施例１のズームレンズを備えたレンズ装置の構成を示す図である。図９に示すように、少なくとも第３レンズ群Ｂ３、第４レンズ群Ｂ４、第５レンズ群Ｂ５を一体の管筒で保持し、ズームカム２０（第１の移動機構）を用いて一体で移動させることが好ましい。
【００４２】
第３レンズ群Ｂ３、第４レンズ群Ｂ４、第５レンズ群Ｂ５は傾き偏芯や平行偏芯による光学性能の変化が大きくなりやすい。このため、これらを一体の構造とすることで位置ずれを低減し、光学性能を良好な状態に維持しやすくすることができる。さらに一体構造をとることで、多くのレンズ群を有するにもかかわらずメカ構成を簡略化することができる。
【００４３】
さらに、アクチュエータ２１（第２の移動機構）で第４レンズ群Ｂ４を移動させ、アクチュエータ２２（第３の移動機構）で第６レンズ群Ｂ６を移動させる。アクチュエータ２１およびアクチュエータ２２によって、ズームカム２０で移動させる他のレンズ群とは別の軌跡で、第４レンズ群Ｂ４および第６レンズ群を移動可能としている。
【００４４】
これにより、メカ的なズームカムの本数を少なくすることができ、レンズ装置の構造を簡易にすることができる。また、ズーミングに際して移動するレンズ群がフォーカシングに際して移動するため、駆動機構を兼用化することができ、レンズ装置の構造を簡易にすることができる。ズームカム２０の内部の鏡筒部にアクチュエータ２１とアクチュエータ２２を配置する構成において、アクチュエータユニットを良好に保持することが容易となるようにしている。
【００４５】
図１に示す実施例１と、図２に示す実施例２では第３レンズ群Ｂ３〜第７レンズ群Ｂ７までを一体の管筒構造としており、図３に示す実施例３と、図４に示す実施例４では第３レンズ群Ｂ３〜第６レンズ群Ｂ６を一体の構造としている。
【００４６】
第７レンズ群Ｂ７を別軌跡とするとズーミングに際して自由度が増え、広角端〜中間のズーム位置や中間のズーム位置〜望遠端で位置を微調整することで、より細かく収差補正およびピント位置の補正が容易となる。
【００４７】
さらに、本実施例のズームレンズにおいて、次の条件式のうち１つ以上を満足するのが良い。
【００４８】
０．５＜ｍ５／ｍ７＜１．５        ・・・（１）
１．２＜ｍ８／ｂｆｗ＜７．０      ・・・（２）
５＜｜Ｅｓ１｜＜１２              ・・・（３）
０．１＜｜Ｅｓ２／Ｅｓ１｜＜０．８・・・（４）
広角端から望遠端へのズーミングにおける第５レンズ群Ｂ５の移動量をｍ５、第７レンズ群Ｂ７の移動量をｍ７とする。ここでレンズ群の移動量とは、広角端と望遠端におけるレンズ群の光軸上の位置の差であり、移動量の符号は広角端に比べて望遠端において物体側に位置するときを負、像側に位置するときを正とする。広角端におけるバックフォーカスをｂｆｗ、広角端から望遠端へのズーミングにおける第８レンズ群Ｂ８の移動量をｍ８とする。
【００４９】
フォーカシングに際して、第４レンズ群Ｂ４と第６レンズ群Ｂ６は移動する。このうちピント敏感度の高い方をフォーカス群、ピント敏感度の低い方をフローティング群とする。無限遠にフォーカスしているときの望遠端における、フォーカス群のピント敏感度をＥｓ１とし、望遠端におけるフローティング群のピント敏感度をＥｓ２とする。
【００５０】
次に前述の条件式の技術的意味について説明する。
【００５１】
条件式（１）の下限を超えると、望遠端において第５レンズ群Ｂ５と第７レンズ群Ｂ７の間隔が狭まりすぎ、主フォーカス群である第６レンズ群Ｂ６の移動量が制限されて合焦可能な至近距離が長くなるか、合焦敏感度が高くなりすぎるため好ましくない。条件式（１）の上限を超えると、第７レンズ群Ｂ７の移動量が減少することで第８レンズ群Ｂ８の移動量が実質的に減少する。そうすると、ズーミングに際して収差補正の効果が減少すると共に、望遠端から広角端へのズーミングに際して第６レンズ群Ｂ６と第７レンズ群Ｂ７が干渉しやすいので好ましくない。
【００５２】
条件式（２）の下限を超えると、結像面に対して第８レンズ群Ｂ８の移動量が少なくなりすぎ、良好な収差補正が困難となるので好ましくない。条件式（２）の上限を越えると第８レンズ群Ｂ８の移動量が大きくなりすぎ、レンズ全長が長くなるため好ましくない。
【００５３】
各実施例のズームレンズではフォーカス群がズーミングにも移動し、その移動が金属カムなどで物理的に行われておらず、アクチュエータの動作によってレンズ群の軌跡を追従する場合、アクチュエータの性能によって追従遅れや停止位置ずれが生じる場合がある。このため、物体距離が無限遠で、望遠端における、フォーカス群のピント敏感度をＥｓ１としたとき、条件式（３）を満たすと好ましい。
【００５４】
条件式（３）の下限を超えると変倍時のコンペンセータ機能が低下し、高いズーム倍率を得るのが困難になるとともに、高い至近倍率を得るのが困難になる。上限を越えると、アクチュエータの位置ずれによるピントずれが許容錯乱円を越えやすくなり、正確なフォーカシングが困難になる。
【００５５】
一方でフォーカス敏感度を高くすることで高いズーム比と至近倍率が得やすいという利点を有するため、条件式（３）の範囲でこれを高く保ちつつ正確なフォーカシングを行うために、補助レンズ群としてフローティング群を用いると好ましい。本件ではフォーカス群とフローティング群のピント敏感度を適切に設定することでフォーカス群の位置ずれによるピントずれを検知し、フローティング群で補正する構成を容易としている。
【００５６】
条件式（４）の下限を超えるとフォーカス群の位置誤差によるピントずれをフローティング群で補助したときに、フローティング群の移動量が大きくなりすぎて像面湾曲や球面収差が増加するため好ましくない。条件式（４）の上限を超えるとフォーカス群とフローティング群のピント敏感度が近くなりすぎてフローティング群で補助する効果が減少する。
【００５７】
好ましくは条件式（１）乃至（４）の数値範囲を以下の範囲にすることが良い。
【００５８】
０．６＜ｍ５／ｍ７＜１．３                ・・・（１ａ）
１．８＜ｍ８／ｂｆｗ＜６．０              ・・・（２ａ）
６．０＜｜Ｅｓ１｜＜１１.０               ・・・（３ａ）
０．１５＜｜Ｅｓ２／Ｅｓ１｜＜０．７５    ・・・（４ａ）
さらに好ましくは条件式（１）乃至（４）の数値範囲を以下の範囲にすることが良い。
【００５９】
０．７＜ｍ５／ｍ７＜１．２                ・・・（１ｂ）
２．０＜ｍ８／ｂｆｗ＜５．０              ・・・（２ｂ）
７．０＜｜Ｅｓ１｜＜１０．０              ・・・（３ｂ）
０．２＜｜Ｅｓ２／Ｅｓ１｜＜０．５        ・・・（４ｂ）
以上、本発明の好ましい実施例について説明したが、本発明はこれらの実施例に限定されず、その要旨の範囲内で種々の変形及び変更が可能である。
【００６０】
例えば、フォーカシングに際して移動するレンズ群は、光軸方向に沿って並んだ第３レンズ群Ｂ３から第７レンズ群Ｂ７までのうち少なくとも２つのレンズ群が移動することが好ましい。
【００６１】
以上のように各実施例によれば、望遠端の焦点距離が長くズーム比の大きいズームレンズにおいて、ズーム全域およびフォーカス全域で高い光学性能を有し、迅速なフォーカシングが容易な望遠型のズームレンズを得ることができる。
【００６２】
以下に実施例１乃至４に対応する数値実施例１乃至４を示す。数値実施例１〜４において、Ｂはレンズ群番号を示す。Ｓは面番号であり、物体側からの光学面の順序を示す。Ｒは光学面の曲率半径（ｍｍ）、ｄは隣り合う光学面の間隔（ｍｍ）、ｎｄはｄ線における光学部材の材料の屈折率、νｄはｄ線を基準とした光学部材の材料のアッベ数を示す。
【００６３】
ある材料のアッベ数νｄは、ｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇ、ＮＦ、Ｎｄ、ＮＣとするとき、νｄ＝（Ｎｄ−１）／（ＮＦ−ＮＣ）として表す。ＢＦはバックフォーカスを示す。「バックフォーカス」は、ズームレンズの最終面（最も像側の面）から像面ｉｍｇまでの光軸上の距離を空気換算長により表記した長さである。「レンズ全長」は、ズームレンズの最前面（最も物体側の面）から最終面までの光軸上の距離にバックフォーカスを加えたものである。ＥＡは有効径を示し、ｏｂｊは物体を示す。
【００６４】
また、数値実施例１乃至４における、各条件式の対応する値を表１に示す。
【００６５】
（数値実施例１）
B     S      EA           R            d              nd      vd
obj                            1.00E+030                           
1    1     68.055      99.62096     7.70000     1.496999   81.54  
2     67.416     582.13808     0.20000 
3     66.165     112.90552     2.70000     1.804000   46.58  
4     63.375      62.41363    11.00000     1.438750   94.66  
5     62.592     778.70704     可変
2    6     31.281     821.67440     1.50000     1.763850   48.49  
7     30.608      59.52783     4.53000
8     30.625     -54.58139     1.50000     1.496999   81.54  
9     31.792      85.47252     3.50000     1.854780   24.80  
10     32.013    1746.27160     可変
3   11     34.266      51.38862     6.30000     1.496999   81.54  
12     34.079    -105.97960     0.20000
13     32.907      62.84264     5.70000     1.603420   38.03  
14     32.181     -77.96690     1.50000     1.953750   32.32  
15     31.187     131.58754     5.00000
16 P   30.188       0.00000     可変
4   17     24.338     -39.36931     1.20000     1.487490   70.23  
18     24.603    -252.01580     可変
5   19     25.764    -145.23763     4.15000     1.688931   31.07  
20     26.106     -37.72914     0.19750
21     25.227     116.60325     5.15000     1.487490   70.23  
22     24.667     -34.65104     1.20000     2.001000   29.13  
23     24.703    -173.94917     0.20000
24     24.433      46.46980     3.60000     1.496999   81.54  
25     24.426    -482.76616     可変
6   26     23.752    -186.96820     2.15000     1.728250   28.46  
27     23.799     -58.73677     1.00000     1.729160   54.67  
28     23.927      54.03845     可変
7   29     27.869      89.24396     3.20000     1.613397   44.27  
30     28.100    -364.55329     可変
8   31     31.817     -64.47614     1.20000     1.496999   81.54  
32     33.685      40.39510     4.20000     1.613397   44.27  
33     34.010     113.77665     可変
WIDE    MIDDLE    TELE
焦点距離     101.99   199.92   489.99   
Fナンバー      4.60     5.20     7.20   
半画角（度）  11.98     6.18     2.53   
像高          21.64    21.64    21.64   
レンズ全長   222.94   272.65   312.20   
BF            19.88    36.44    69.71   
d 5            6.52    56.23    95.77   
d10           29.25    20.89     1.50   
d16           14.22    20.09    29.70   
d18           16.98    11.11     1.50   
d25           21.93    16.69     2.95   
d28            9.85    15.09    28.83   
d30           25.54    17.33     3.46   
d33           19.88    36.44    69.71   
レンズ群データ
群  始面    焦点距離  
1    1     201.05  
2    6     -57.06  
3   11      75.72  
4   17     -95.89  
5   19      49.13  
6   26     -57.14  
7   29     117.19  
8   31     -97.08  
（数値実施例２）
B     S      EA           R            d              nd      vd
obj                            1.00E+030
1    1     61.718      99.62096     6.80000      1.496999   81.54 
2     61.140     582.13808     0.20000  
3     60.301     123.73404     2.70000      1.763850   48.49 
4     58.040      62.38390     9.65000      1.438750   94.66 
5     57.394    1018.78827     可変  
2    6     29.799    1151.87324     1.50000      1.729157   54.68 
7     29.239      64.84721     3.70000  
8     29.245     -62.35096     1.82000      1.496999   81.54 
9     30.080      89.65084     3.50000      1.854780   24.80 
10     30.256     616.27278     可変  
3   11     31.681      46.43867     5.80000      1.496999   81.54 
12     31.454    -116.14509     0.20000  
13     30.502      67.82771     5.00000      1.603420   38.03 
14     29.828     -77.67994     1.50000      1.953750   32.32 
15     29.003     155.50421     1.67730  
16 P   28.737       0.00000     可変 
4   17     23.103     -40.44910     1.20000      1.618000   63.40 
18     23.299    -282.96587     可変  
5   19     25.010    -124.04112     3.65000      2.001000   29.13 
20     25.386     -41.00291     0.20000  
21     24.420     103.92532     5.00000      1.496999   81.54 
22     24.434     -35.65560     1.20000      2.001000   29.13 
23     25.000    -245.85587     0.20000  
24     25.679      42.58086     4.40000      1.496999   81.54 
25     25.614    -169.09901     1.20000      1.698947   30.13 
26     25.596    -532.17547     可変 
6   27     24.698    -378.04536     3.15000      1.720467   34.71 
28     24.692     -43.70174     1.00000      1.755000   52.32 
29     24.727      44.72053     可変  
7   30     27.995      74.06786     3.50000      1.613397   44.27 
31     28.240    -274.97738     可変  
8   32     30.557     -57.79085     1.20000      1.496999   81.54 
33     32.556      37.01339     4.40000      1.613397   44.27 
34     32.901     111.68481     可変  
WIDE    MIDDLE    TELE
焦点距離      82.24   199.92   395.00   
Fナンバー      4.10     5.13     6.40   
半画角（度）  14.74     6.18     3.14   
像高          21.64    21.64    21.64   
レンズ全長   204.12   265.26   294.22   
BF            21.72    43.37    68.86   
d 5            2.91    64.05    93.00   
d10           36.71    21.44     2.54   
d16           11.89    19.42    26.09   
d18           15.99     8.47     1.79   
d26           16.76    10.27     2.30   
d29            7.26    13.74    21.71   
d31           16.53    10.16     3.57   
d34           21.72    43.37    68.86   
レンズ群データ
群  始面    焦点距離
1    1     209.37  
2    6     -61.89  
3   11      71.43  
4   17     -76.51  
5   19      43.43  
6   27     -50.85  
7   30      95.49  
8   32     -90.54  
（数値実施例３）
B     S      EA           R            d              nd      vd
obj                            1.00E+030                           
1    1     81.944     110.57800     9.00000      1.496999   81.54 
2     81.183     459.98551     0.20000 
3     79.287     103.75750     2.80000      1.834807   42.73 
4     75.859      68.35747    13.00000      1.438750   94.66 
5     74.727     374.50567     可変  
2    6     36.252      52.57731     6.30000      1.592701   35.31 
7     34.617    1929.09287     1.60000      1.903660   31.32 
8     33.144      73.91283     5.25000  
9     31.795   -2163.55016     1.20000      1.834807   42.73 
10     31.043      53.93252     3.80000 
11     31.074     -97.72988     1.20000      1.438750   94.66 
12     31.942      51.30459     3.20000      1.854780   24.80 
13     31.919     138.06106     可変 
3   14     32.656      52.99698     5.50000      1.438750   94.66 
15     32.555    -137.02093     1.00000 
16 P   32.198       0.00000     可変 
4   17     30.973     -46.34133     1.50000      1.696800   55.46 
18     31.499     -71.62486     可変 
5   19     32.206     134.18919     4.80000      1.496999   81.54 
20     32.132     -64.88841     1.35000 
21     30.067      39.69646     5.70000      1.698947   30.13 
22     28.930    -184.31386     1.20000      1.953750   32.32 
23     26.598      25.87467     2.00000 
24     27.155      27.34908     8.20000      1.613397   44.27 
25     26.401     -53.17974     1.20000      1.903660   31.32 
26     26.061    -227.10230     可変 
6   27     21.137      62.79556     3.40000      1.647689   33.79 
28     20.588     -65.32093     1.00000      1.804000   46.58 
29     20.417      35.63549     可変 
7   30     29.424     121.21272     1.20000      2.000690   25.46 
31     29.566      69.69479     6.20000      1.516330   64.14 
32     30.075     -46.29201     可変 
8   33     30.624     -88.19112     1.40000      1.496999   81.54 
34     31.284      51.81510     4.40000  
35     31.404     -70.77038     1.80000      1.496999   81.54 
36     34.451      64.33339     5.00000      1.720467   34.71 
37     35.169    -233.00505     可変 
WIDE    MIDDLE    TELE
焦点距離     120.00   300.00   590.00 
Fナンバー      4.60     5.67     7.20 
半画角（度）  10.22     4.12     2.10 
像高          21.64    21.64    21.64 
レンズ全長   240.18   308.74   335.29 
BF            15.00    36.91    73.64 
d 5            1.00    69.56    96.11 
d13           33.82    20.56     1.50 
d16            6.33    11.38    11.60 
d18            9.34     4.29     4.07 
d26           16.65     9.43     2.00 
d29           22.71    35.80    40.97 
d32           30.93    16.41     1.00 
d37           15.00    36.91    73.64 
レンズ群データ
群  始面    焦点距離  
1    1     213.95  
2    6     -56.08  
3   14      87.88  
4   17    -193.11  
5   19      72.64  
6   27     -71.38  
7   30      80.79  
8   33     -64.86  
（数値実施例４）
B     S      EA           R            d              nd      vd
obj                  0.00000   1.00E+030                                
1    1     92.325     117.11037    11.00000      1.496999   81.54 
2     91.468     675.63817     0.20000 
3     88.985     121.89525     2.80000      1.804000   46.58 
4     84.602      72.02509    14.50000      1.438750   94.66 
5     83.451     324.48750     可変  
2    6     45.970      73.30974     5.50000      1.688931   31.07 
7     44.779     379.10737     1.60000      1.854780   24.80 
8     43.304     101.19945    30.10194  
9     30.609   -1040.89449     1.20000      1.834807   42.73 
10     29.730      45.80637     4.45000 
11     29.778     -68.44596     1.20000      1.438750   94.66 
12     31.027      49.81482     3.60000      1.854780   24.80 
13     31.081     190.86160     可変 
3   14     31.717      54.82919     6.30000      1.438750   94.66 
15     31.604     -76.60090     1.00000 
16 P   30.933       0.00000     可変 
4   17     30.127     -43.49163     1.50000      1.910820   35.25 
18     30.832     -73.58490     可変 
5   19     31.838     145.84020     5.20000      1.496999   81.54 
20     31.877     -57.16854     7.65000 
21     28.622      47.42287     6.00000      1.698947   30.13 
22     27.597     -72.52126     1.20000      1.910820   35.25 
23     25.819      29.09106     2.30000 
24     26.479      30.44414     7.90000      1.613397   44.27 
25     25.896     -45.75407     1.20000      2.001000   29.13 
26     25.802    -123.35835     可変 
6   27     20.840     112.27692     3.25000      1.595509   39.24 
28     20.345     -50.25463     1.00000      1.729157   54.68 
29     19.647      49.41784     可変 
7   30     28.210      70.81118     1.20000      2.001000   29.13 
31     28.099      42.48863     6.55000      1.517417   52.43 
32     28.456     -54.22485     可変 
8   33     26.858    -101.46774     1.40000      1.496999   81.54 
34     27.127      45.72552     9.55000 
35     29.468     -56.13481     1.80000      1.496999   81.54 
36     32.392      52.81373     5.90000      1.613397   44.27 
37     33.196    -114.69704     可変
WIDE    MIDDLE    TELE
焦点距離     199.97   399.99   784.76   
Fナンバー      6.00     6.80     8.50   
半画角（度）   6.17     3.10     1.58   
像高          21.64    21.64    21.64   
レンズ全長   285.44   355.65   385.65   
BF            22.57    43.72    83.86   
d 5            1.50    71.71   101.71   
d13           19.10    17.10     1.50   
d16            5.68     7.81     8.49   
d18            4.81     2.68     2.00   
d26           16.47     6.68     2.00   
d29           29.22    38.76    38.05   
d32           39.04    20.14     1.00   
d37           22.57    43.72    83.86   
レンズ群データ
群  始面    焦点距離  
1    1     258.64  
2    6     -55.19  
3   14      73.91  
4   17    -119.60  
5   19      72.50  
6   27     -84.04  
7   30      82.00  
8   33     -60.14
【００６６】
【表１】
2020118816.tif 000003
次に本発明のズームレンズを撮像光学系として用いたデジタルスチルカメラの実施例を図１０を用いて説明する。図１０において、１０はカメラ本体、１１は実施例１乃至４に説明したいずれかのズームレンズによって構成された撮像光学系である。１２はカメラ本体に内蔵され、撮像光学系２１によって形成された被写体像を受光するＣＣＤセンサやＣＭＯＳセンサ等の固体撮像素子（光電変換素子）である。
【符号の説明】
【００６７】
Ｌ０  ズームレンズ      Ｂ１  第１レンズ群      Ｂ２  第２レンズ群
Ｂ３  第３レンズ群      Ｂ４  第４レンズ群      Ｂ５  第５レンズ群
Ｂ６  第６レンズ群      Ｂ７  第７レンズ群      Ｂ８  第８レンズ群
【図１】
2020118816.tif 000004
【図２】
2020118816.tif 000005
【図３】
2020118816.tif 000006
【図４】
2020118816.tif 000007
【図５】
2020118816.tif 000008
【図６】
2020118816.tif 000009
【図７】
2020118816.tif 000010
【図８】
2020118816.tif 000011
【図９】
2020118816.tif 000012
【図１０】
2020118816.tif 000013